(57)【特許請求の範囲】
【請求項１】
洋風便器の左右両側に起立する一対の起立部材を有する本体部と、
先端部を後方側に跳ね上げ可能に、前記起立部材の上端部に取り付けられた肘掛けを有する手摺部材と、
前記本体部に取り付けられ、前記本体部を前記洋風便器に固定する固定部材と、
前記手摺部材を、所定の跳ね上げ位置でロックするロック手段と
を備えた便器用手摺において、
前記手摺部材は、前記肘掛けに連設された、肘掛け位置に位置している前記肘掛けの下面から下方側に突出するグリップを有しており、
前記グリップは、前記肘掛けを所定の跳ね上げ位置まで跳ね上げたときに、略水平状態で前方側に張り出すようになっており、
前記肘掛けを所定の跳ね上げ位置まで跳ね上げた状態で、用便者が前記グリップを掴むことによって自分の体を支えることができるように構成されていることを特徴とする便器用手摺。
【発明の詳細な説明】
【技術分野】
【０００１】
この発明は、既設の洋風便器（以下、便器という。）に取り付けることで、足腰の弱い老人の用便動作を助けることのできる便器用手摺、特に、車椅子からの乗り移り動作が円滑に行える便器用手摺に関する。
【背景技術】
【０００２】
既設の便器に取り付ける便器用手摺としては、例えば、図１３に示すようなものがある。この便器用手摺７０は、同図に示すように、床に設置された便器Ａの左右両側に配設される一対のベースフレーム７１、７１と、それぞれのベースフレーム７１、７１の後方側に立設された起立部材７２、７２と、この起立部材７２、７２の上端部にそれぞれ支持された手摺部材７３、７３と、一対の起立部材７２、７２を、相互に連結する連結部材７４と、便器Ａの両側部を挟み込む一対の挟持部材７５、７５とを備えている。
【０００３】
前記起立部材７２、７２の上端部には、手摺部材７３、７３を支持するための支持部材がそれぞれ固定されていると共に、手摺部材７３、７３には、その支持部材に回転可能に支持される被支持部材７３ａがそれぞれ固定されており、手摺部材７３、７３は、同図に二点鎖線で示すように、後方側に跳ね上げることができるようになっている。
【０００４】
従って、車椅子に座った足腰の弱い老人等が用便を行う際は、便器Ａの片側に車椅子を移動し、車椅子に近いほうの手摺部材７３を跳ね上げて移動空間を確保した状態で、車椅子から便器Ａに乗り移ることになる。
【先行技術文献】
【特許文献】
【０００５】
【特許文献１】特開２００９−４５１９６号公報
【発明の概要】
【発明が解決しようとする課題】
【０００６】
しかしながら、車椅子に座った足腰の弱い老人等が、車椅子から上述したような便器用手摺７０を取り付けた便器Ａに乗り移る際、手摺部材７３を跳ね上げて移動空間を確保すると、便器Ａに乗り移る途中で体を支えたい場合は、跳ね上げた手摺部材７３に手をかけて体を支えなければならず、安定した状態で体を支えることができないので、別の意味で乗り移りにくくなるといった新たな問題が発生する。
【０００７】
そこで、この発明の課題は、手摺部材を跳ね上げた状態で便器に乗り移る際、安定した状態で体を支えることができる便器用手摺を提供することにある。
【課題を解決するための手段】
【０００８】
上記の課題を解決するため、請求項１に係る発明は、洋風便器の左右両側に起立する一対の起立部材を有する本体部と、先端部を後方側に跳ね上げ可能に、前記起立部材の上端部に取り付けられた肘掛けを有する手摺部材と、前記本体部に取り付けられ、前記本体部を前記洋風便器に固定する固定部材と、前記手摺部材を、所定の跳ね上げ位置でロックするロック手段とを備えた便器用手摺において、前記手摺部材は、前記肘掛けに連設された、肘掛け位置に位置している前記肘掛けの下面から下方側に突出するグリップを有しており、前記グリップは、前記肘掛けを所定の跳ね上げ位置まで跳ね上げたときに、略水平状態で前方側に張り出すようになっており、前記肘掛けを所定の跳ね上げ位置まで跳ね上げた状態で、用便者が前記グリップを掴むことによって自分の体を支えることができるように構成されていることを特徴とする便器用手摺を提供するものである。
【発明の効果】
【００１１】
以上のように、請求項１に係る発明の便器用手摺は、手摺部材が、肘掛けに連設されたグリップを有しており、車椅子に座った足腰の弱い老人等が、手摺部材を跳ね上げた状態で、車椅子から便器に乗り移る際、グリップを掴んで体を支えることができるので、跳ね上げた肘掛けに直接手をかけて体を支える場合に比べて、安定した状態で体を支えることができ、便器に乗り移りやすいという効果が得られる。
【００１２】
また、グリップが、肘掛け位置に位置している肘掛けの下面に連設されており、肘掛けを所定の跳ね上げ位置まで跳ね上げたときに、グリップが略水平状態で前方側に張り出すようになっているので、便器に乗り移ろうとしている老人等がグリップを掴みやすくなるという効果が得られる。
【図面の簡単な説明】
【００１４】
【図１】この発明に係る便器用手摺の設置状態を示す斜視図である。
【図２】同上の便器用手摺の設置状態を示す正面図である。
【図３】同上の便器用手摺の設置状態を示す平面図である。
【図４】同上の便器用手摺の設置状態を示す側面図である。
【図５】同上の便器用手摺の固定部材を示す詳細図である。
【図６】同上の便器用手摺の肘掛けを跳ね上げた状態を示す部分拡大側面図である。
【図７】図６のＸ−Ｘ線に沿った断面図である。
【図８】（ａ）は同上の便器用手摺における被支持部材を示す側面図、（ｂ）は同上の便器用手摺における支持部材を示す側面図である。
【図９】（ａ）は同上の便器用手摺における肘掛けを肘掛け位置に降ろしたときの案内孔及び長孔と係止軸との関係を説明するための説明図、（ｂ）は同上の便器用手摺における肘掛けを所定の跳ね上げ位置まで跳ね上げたときの案内孔及び長孔と係止軸との関係を説明するための説明図である。
【図１０】同上の肘掛けを所定の跳ね上げ位置まで跳ね上げた状態を示す斜視図である。
【図１１】同上の肘掛けを所定の跳ね上げ位置まで跳ね上げた状態を示す側面図である。
【図１２】同上の肘掛けを所定の跳ね上げ位置まで跳ね上げた状態を示す平面図である。
【図１３】従来の便器用手摺の設置状態を示す斜視図である。
【発明を実施するための形態】
【００１５】
以下、実施の形態について図面を参照して説明する。図１〜図４に示すように、この便器用手摺１は、便所の床に固定設置された便器Ａの床固定部ａの両側部に沿うように配設される、扁平な金属製の角パイプからなる左右一対のベース部材１０と、各ベース部材１０にそれぞれ立設された左右一対の起立部材２０と、左右一対の起立部材２０を相互に連結する連結部材３０と、連結部材３０に取り付けられた左右一対の固定部材４０と、先端部を後方側に跳ね上げ可能に、各起立部材２０の上端部にそれぞれ支持された左右一対の手摺部材５０とを備えており、左右一対の手摺部材５０は、ロック手段によって、略垂直に立ち上がった所定の跳ね上げ位置でロックされるようになっている。
【００１６】
前記起立部材２０は、上端側が僅かに内側（便器Ａ側）に傾斜した状態でベース部材１０の後部側に固着された金属製の角パイプからなる下部支柱２１と、この下部支柱２１にその上端側から差し込まれて、下部支柱２１内を上下にスライドする金属製の角パイプからなる上部支柱２２とから構成されており、この上部支柱２２の上端部に手摺部材５０を回動可能に支持するための支持部材２３が固定されている。
【００１７】
また、下部支柱２１の前面には複数のボルト挿通孔２１ａが上下に形成されており、いずれかのボルト挿通孔２１ａに通したノブボルト２０Ａを、上部支柱２２の下部前面に形成されたねじ孔（図示せず）にねじ込んで締め付けることにより、上部支柱２２を所定の高さに段階的に固定することができるようになっている。
【００１８】
前記連結部材３０は、左右一対の起立部材２０、２０を構成している下部支柱２１、２１から内側に張り出すように、下部支柱２１、２１の後面における中間高さ位置にそれぞれ固着された、便器Ａの幅方向に延びる左右一対の直線部３１、３１と、両端部が左右一対の直線部３１、３１における内端側の前面にそれぞれ連設された、便器Ａにおける床固定部ａの前端上部を取り囲むように、中央部を略Ｕ字状に屈曲させた屈曲部３２とから構成されており、直線部３１は金属製の角パイプによって、屈曲部３２は金属製の丸パイプによってそれぞれ形成されている。
【００１９】
前記連結部材３０の各直線部３１には、それぞれの外端側から、各直線部３１内を左右にスライドする金属製の角パイプからなる可動アーム３３が差し込まれており、各直線部３１の内端には、合成樹脂製のキャップがそれぞれ装着されている。
【００２０】
各可動アーム３３、３３は、その先端部が閉塞されており、閉塞された先端部にねじ孔が形成されていると共に、そのねじ孔に、便所の壁面に当接して押圧する押圧部材３５が進退可能にねじ込まれている。
【００２１】
各直線部３１の後面には、左右方向に延びる長孔（図示せず）が形成されており、この長孔に通したノブボルト３４を、可動アーム３３の内端後面に形成されたねじ孔（図示せず）にねじ込んで締め付けることにより、長孔の長さの範囲内で各可動アーム３３を任意の位置に固定することができるようになっている。
【００２２】
前記固定部材４０は、図１〜図５に示すように、連結部材３０の直線部３１、３１の外端部に立設された支持脚４１、４１と、この支持脚４１、４１の上端部にそれぞれ固着され、内側に向かって斜め上方に立ち上がる一対の固定アーム４２、４２と、それぞれの固定アーム４２にその上端から差し込まれて、上下方向にスライドする可動アーム４３、４３と、各可動アーム４３、４３の先端に取り付けられ、便器Ａの湾曲した上部外表面ｂに当接して押圧する押圧部４５とから構成されており、前記固定アーム４２及び可動アーム４３は、金属製の角パイプによって形成されている。
【００２３】
また、固定アーム４２の上面には上下方向に延びる長孔４２ａが形成されており、この長孔４２ａに通したノブボルト４４を、可動アーム４３の下端部に形成されたねじ孔（図示せず）にねじ込んで締め付けることにより、長孔４２ａの長さの範囲内で可動アーム４３を任意の位置に固定することができるようになっている。
【００２４】
前記押圧部４５は、同図に示すように、可動アーム４３の上端に取り付けられたアジャスタ４６と、このアジャスタ４６に取り付けられた自在アタッチメント４７とから構成されている。
【００２５】
前記アジャスタ４６は、可動アーム４３の上端に形成されたネジ孔（図示せず）にねじ込まれる全ネジボルト４６ａと、この全ネジボルト４６ａに固定された、全ネジボルト４６ａを回転させるための回転操作部４６ｂとから構成されており、回転操作部４６ｂを回転させることで、全ネジボルト４６ａが回転しながら進退し、自在アタッチメント４７が、固定アーム４２の延びだし方向に進退するようになっている。
【００２６】
前記自在アタッチメント４７は、自在継手を介してアジャスタ４６に取り付けられており、図５に二点鎖線で示すように、便器Ａの上部外表面ｂの湾曲状態に応じて、ある程度の自由度を持ってその接触角度を調整できるようになっている。
【００２７】
前記手摺部材５０は、図１〜図４及び図６、図７に示すように、金属製のフレームに樹脂製のカバーを被せた肘掛け５１と、この肘掛け５１の下面から下方側に突出するように、フレームの長手方向の略中央部に連設されたグリップ５２とを備えており、肘掛け５１は、起立部材２０の支持部材２３を挟み込むように、フレームの後端部に連設された一対の被支持部材５３を介して、支持部材２３に回動可能に支持されている。
【００２８】
前記ロック手段は、図７及び図８（ａ）、（ｂ）に示すように、一対の被支持部材５３に形成された長孔５４と、この長孔５４内を移動可能に長孔５４に挿入される係止軸６１と、支持部材２３に形成された、係止軸６１が移動可能に挿入される案内孔２４と、それぞれの被支持部材５３を挟み込むような状態で係止軸６１の両端部に回動可能に連結された、先端がＶ字状に形成された操作部材６２とから構成されている。
【００２９】
前記支持部材２３に形成された案内孔２４は、手摺部材５０の回動に伴って係止軸６１が移動する円弧状の回動用孔部２４ａと、この回動用孔部２４ａの後端部から下方側に延びる直線状の係止用孔部２４ｂとから構成されており、図９（ａ）、（ｂ）に示すように、一対の被支持部材５３に形成された長孔５４に挿通されている係止軸６１が、案内孔２４における円弧状の回動用孔部２４ａの前端部と後端部との間を移動することで、手摺部材５０が所定の肘掛け位置と跳ね上げ位置との間で回動するようになっている。
【００３０】
前記被支持部材５３に形成された長孔５４は、手摺部材５０が所定の跳ね上げ位置まで回動したときに、同図（ｂ）に示すように、その長手方向が上下方向を向いて、支持部材２３に形成された案内孔２４の係止用孔部２４ｂに一致するようになっており、回動用孔部２４ａの後端部まで移動した係止軸６１が、長孔５４内を落下して案内孔２４の係止用孔部２４ｂに入り込むことで、支持部材２３に対して被支持部材５３が回転不能となり、これによって、手摺部材５０がロックされるようになっている。
【００３１】
前記操作部材６２は、図４に示すように、手摺部材５０の肘掛け５１が略水平の肘掛け位置において、Ｖ字状の先端部が下方側を向くような状態で垂下しているが、手摺部材５０の肘掛け５１を跳ね上げるに従って、被支持部材５３の外縁に沿って持ち上がり、手摺部材５０が所定の跳ね上げ位置でロックされたときは、図６に示すように、被支持部材５３によって略水平状態に支持されるようになっており、その状態では、Ｖ字状の先端部に指をかけることができるようになっている。
【００３２】
従って、手摺部材５０が所定の跳ね上げ位置でロックされた状態で、Ｖ字状の先端部に指をかけて操作部材６２を引き上げると、操作部材６２が連結されている係止軸６１が持ち上がり、案内孔２４の係止用孔部２４ｂから回動用孔部２４ａ側に移動するので、手摺部材５０のロックが解除され、手摺部材５０を初期の肘掛け位置まで回動することができる状態となる。
【００３３】
また、各ベース部材１０の前後端には、それぞれの下面側に、高さ調整を行うためのアジャスタ１１、１１が取り付けられており、排水等を考慮して便所の床に傾斜が設けられている場合でも、それぞれのアジャスタ１１、１１によって部分的に高さ調整を行うことができるので、設置される便器用手摺１のがたつきをなくすことができる。
【００３４】
以上のように、この便器用手摺１では、手摺部材５０が、肘掛け５１に連設されたグリップ５２を有しているので、車椅子に座った足腰の弱い老人等が、手摺部材５０を跳ね上げた状態で、車椅子から便器Ａに乗り移る際、グリップ５２を掴んで体を支えることができる。従って、跳ね上げた肘掛けに直接手をかけて体を支える場合に比べて、安定した状態で体を支えることができ、便器Ａに乗り移りやすいという効果が得られる。
【００３５】
特に、この便器用手摺１では、肘掛け５１を所定の跳ね上げ位置まで跳ね上げたときに、グリップ５２が略水平状態で、しかも、前方側に張り出すことになるので、便器Ａに乗り移ろうとしている老人等がグリップ５２を掴みやすくなるという効果が得られる。
【００３６】
また、この便器用手摺１では、手摺部材５０を所定の跳ね上げ位置まで跳ね上げるだけで、係止軸６１が支持部材２３に形成されている案内孔２４の係止用孔部２４ｂに入り込んで、手摺部材５０が自動的に跳ね上げ状態にロックされるので、特別なロック操作を行う必要がない。従って、車椅子から老人等が便器Ａに乗り移る際、跳ね上げた手摺部材５０のグリップ５２を掴んで体を支えても、手摺部材５０が所定の跳ね上げ位置まで回動するといった不測の事態が発生することがなく、老人等が安心して便器Ａに乗り移ることができる。
【００３７】
また、老人等が便座に着座した後は、操作部材６２を引き上げることによって、案内孔２４の係止用孔部２４ｂに入り込んだ係止軸６１を係止用孔部２４ｂから持ち上げるだけで、手摺部材５０のロックを簡単に解除することができるので、手摺部材５０を即座に所定の肘掛け位置まで戻すことができる。
【００３８】
なお、上述した実施形態では、肘掛け５１を構成している金属製のフレームの長手方向の略中央部にグリップ５２が連設されているが、これに限定されるものではなく、グリップ５２の取付位置は、肘掛け５１を跳ね上げたときのグリップ５２の高さ位置を考慮して適宜設定すればよい。
【００３９】
また、上述した実施形態では、肘掛け５１の下面から下方側に突出するように、金属製のフレームにグリップ５２を連設しているが、これに限定されるものではなく、肘掛け５１の外側部から外側に突出するように、肘掛け５１の側面にグリップを連設してもよい。
【００４０】
また、上述した実施形態では、手摺部材５０を所定の跳ね上げ位置まで跳ね上げたときに、手摺部材５０を自動的にロックするロック手段を採用しているが、これに限定されるものではなく、手摺部材を手動でロックするロック手段を採用することも可能である。具体的には、手摺部材を所定の跳ね上げ位置まで跳ね上げた状態で相互に一致するピン挿入孔を、起立部材の上端部に固定された支持部材及び手摺部材に固定された被支持部材にそれぞれ形成しておき、手摺部材を所定の跳ね上げ位置に跳ね上げた状態で、それらの一致したピン挿入孔にロックピン等を挿入することで、手摺部材を跳ね上げ状態にロックすること等が考えられる。
【産業上の利用可能性】
【００４１】
本発明は既設の洋風便器用の手摺として利用することができる。
【符号の説明】
【００４２】
１  便器用手摺
１０  ベース部材
１１  アジャスタ
２０  起立部材
２０Ａ  ノブボルト
２１  下部支柱
２１ａ  ボルト挿通孔
２２  上部支柱
２３  支持部材
２４  案内孔
２４ａ  回動用孔部
２４ｂ  係止用孔部
３０  連結部材
３１  直線部
３２  屈曲部
３３  可動アーム
３４  ノブボルト
３５  押圧部材
４０  固定部材
４１  支持脚
４２  固定アーム
４３  可動アーム
４４  ノブボルト
４５  押圧部
４６  アジャスタ
４６ａ  全ネジボルト
４６ｂ  回転操作部
４７  自在アタッチメント
５０  手摺部材
５１  肘掛け
５２  グリップ
５３  被支持部材
５４  長孔
６１  係止軸
６２  操作部材
Ａ  便器
ａ  床固定部
ｂ  上部外表面
【図１】
0005524895.tif 000002
【図２】
0005524895.tif 000003
【図３】
0005524895.tif 000004
【図４】
0005524895.tif 000005
【図５】
0005524895.tif 000006
【図６】
0005524895.tif 000007
【図７】
0005524895.tif 000008
【図８】
0005524895.tif 000009
【図９】
0005524895.tif 000010
【図１０】
0005524895.tif 000011
【図１１】
0005524895.tif 000012
【図１２】
0005524895.tif 000013
【図１３】
0005524895.tif 000014